(57)【要約】  【課題】ユーザによる操作および制御系による処理を要さずに、ディスクの装着の有無を確認可能にする。  【解決手段】スロットイン方式を採用したディスクローダ内蔵パネル型テレビ装置において、投光部１１ａと受光部１１ｂを有しディスクローダ４内のディスクＤの有無を検出する光電センサ１１と、光電センサ１１に接続されたトランジスタ１２と、トランジスタ１２に接続されたＬＥＤ１３とから構成されるディスク検出報知回路１０を設け、該回路１０に駆動電力を常時供給する。光電センサ１１がディスクローダ４内のディスクＤの有無に応じてレベルの異なる信号を出力することにより、トランジスタ１２がＯＮ状態またはＯＦＦ状態に切り替わり、ＬＥＤ１３が発光しまたは消灯して、ディスクＤの装着の有無を報知する。【選択図】  図２
2006338725.tif 000002
【特許請求の範囲】
【請求項１】
側面に設けられた開口から内部に挿入された記録媒体としてのディスクを処理するディスクローダ内蔵パネル型テレビ装置において、
ディスクローダ内の前記ディスクの有無を検出する光電センサと、前記光電センサに接続されたトランジスタと、前記トランジスタに接続されたＬＥＤとから構成されるディスク検出報知回路と、
前記ディスク検出報知回路に駆動電力を常時供給する電源部と、を備え、
前記ディスク検出報知回路は、前記光電センサが前記ディスクの有無に応じてレベルの異なる信号を出力することにより、前記トランジスタがＯＮ状態またはＯＦＦ状態に切り替わり、前記ＬＥＤが発光しまたは消灯して、前記ディスクの装着の有無を報知することを特徴とするディスクローダ内蔵パネル型テレビ装置。
【請求項２】
側面に設けられた開口から内部に挿入された記録媒体としてのディスクを処理するディスク処理装置において、
当該装置内の前記ディスクの有無を検出するセンサと、前記センサに接続されたトランジスタと、前記トランジスタに接続されたＬＥＤとから構成されるディスク検出報知回路と、
前記ディスク検出報知回路に駆動電力を常時供給する電源部と、を備え、
前記ディスク検出報知回路は、前記センサが前記ディスクの有無に応じてレベルの異なる信号を出力することにより、前記トランジスタの動作状態が切り替わり、前記ＬＥＤの発光状態が変化して、前記ディスクの装着の有無を報知することを特徴とするディスク処理装置。
【請求項３】
内部に装着された記録媒体としてのディスクを処理するディスク処理装置において、
当該装置内の前記ディスクの有無を検出するセンサと、前記センサに接続された開閉素子と、前記開閉素子に接続された発光素子とから構成されるディスク検出報知回路と、
前記ディスク検出報知回路に駆動電力を常時供給する電源部と、を備え、
前記ディスク検出報知回路は、前記センサが前記ディスクの有無に応じてレベルの異なる信号を出力することにより、前記開閉素子の動作状態が切り替わり、前記発光素子の発光状態が変化して、前記ディスクの装着の有無を報知することを特徴とするディスク処理装置。
【発明の詳細な説明】
【技術分野】
【０００１】
本発明は、記録媒体としてのディスクを処理するディスク処理装置およびディスクローダ内蔵パネル型テレビ装置に関するものである。
【背景技術】
【０００２】
近年、映像や音声のデータを記録する媒体として例えばＤＶＤ（Digital Versatile Disk）のようなディスクが普及しているのに伴い、該ディスクに対してデータの再生や記録の処理を行うディスク処理装置が各種提案されている。ディスク処理装置において、実際にディスクが装着され、該ディスクからデータを読み取ったり、該ディスクにデータを記録したりする部分（モジュール）は、ディスクローダと呼ばれている。
【０００３】
ディスクローダ内にディスクを装着する方式として、装置の前側面や横側面等に設けられた開口からディスクを内部に挿入するスロットイン方式や、トレイにディスクを載置して内部に引き込むトレイ方式等がある。ＬＣＤ（Liquid Crystal Display）やＰＤＰ（Plasma Display Panel）のようなディスプレイを用いたパネル型テレビ装置等にディスクローダを内蔵する場合は、スロットイン方式を採用する方が装置の薄型化に有効である。一般に、上記のような方式によりディスクが装置内に装着された状態では、ディスクが外部から直接見えなくなるので、ディスクが装置内に有るか無いかが分からなくなることがある。このため、例えばディスクローダ内にディスクが無いにも拘わらず、再生ボタンを操作して、ディスクのデータが再生されないことに不安を感じたり、録画ボタンを操作して、後で録画したはずのデータがディスクに記録されていないことを悔んだりすることがある。また、スロットイン方式を採用したディスク処理装置の場合は、ディスクローダ内にディスクが有るにも拘わらず、別のディスクを挿入して、ディスクやディスクローダを損傷してしまうことがある。
【０００４】
ディスクの装着の有無を確認する方法として、該装置に設けられたディスク取り出しボタンを操作して、マイクロコンピュータ等から構成される制御系にディスク排出機構を動作制御させることがある。また、下記の特許文献１には、トレイ方式を採用したディスク処理装置において、電源スイッチが操作されたときに、制御系が、ピックアップ等を介して得られる再生ＲＦ信号のレベルに基づいてディスクの有無を判定し、該判定結果に応じてＬＥＤ（Light Emitting Diode）を点灯または消灯したり、ディスクの装着を示す表示データをＬＣＤに表示したりすることが開示されている。また、下記の特許文献２には、ディスクローダのドアを閉めたときまたは該ドアが閉まっていて電源スイッチが操作されたときに、制御系が、ディスクの有無を検出する検出器からの出力信号に応じてディスクの有無を示す表示データを表示器に表示することが開示されている。さらに、下記の特許文献３には、キー操作によりディスクモードが選択されたときに、制御系が、ディスクローダに備わるセンサからの出力信号によりディスクの有無を判定し、該判定結果に応じてディスクの装着を示す表示器を点灯しまたは点滅することが開示されている。
【特許文献１】特開平５−３０７８７３号公報
【特許文献２】実開昭６０−８５７７０号公報
【特許文献３】実開平４−８６２９３号公報
【発明の開示】
【発明が解決しようとする課題】
【０００５】
しかしながら、上述した従来の方法は、ボタンやスイッチの操作を要するので、ユーザにとって煩わしいものである。また、ディスク処理装置が未起動状態にある場合には、一般に該装置の各部に駆動電力が供給されておらず、各部は機能していないため、ボタン等が操作されてから、各部に駆動電力が供給されて各部が機能し、制御系が表示系等を制御して、ディスクの有無を示す表示を行うまでに時間がかかり、ユーザにとって煩わしいものである。さらに、ディスクの有無を判定するプログラムやディスクの装着を示す表示データを制御系に組み込む必要があるので、メモリの余裕度が減少したり、マイクロコンピュータのジョブ量が増大したりして、制御系の処理能力が低くなってしまう。
【０００６】
本発明は、以上の問題点を解決するものであって、その課題とするところは、ユーザによる操作および制御系による処理を要さずに、ディスクの装着の有無を確認可能にすることにある。
【課題を解決するための手段】
【０００７】
本発明に係るディスク処理装置は、当該装置内のディスクの有無を検出するセンサと、センサに接続されたトランジスタ等の開閉素子と、開閉素子に接続されたＬＥＤ等の発光素子とから構成されるディスク検出報知回路と、ディスク検出報知回路に駆動電力を常時供給する電源部とを備え、ディスク検出報知回路では、センサがディスクの有無に応じてレベルの異なる信号を出力することにより、開閉素子の動作状態が切り替わり、発光素子の発光状態が変化して、ディスクの有無を報知する。
【０００８】
このようにすると、ディスク処理装置が未起動状態にある場合でも、ディスク検出報知回路により装置内のディスクの有無が検出されて報知されるので、ユーザによるボタンやスイッチの操作およびマイクロコンピュータ等の制御系による処理を要さずに、ディスクの装着の有無を常時容易かつ迅速に確認可能となる。この結果、ユーザは、従来のようなボタン等の操作および制御系や表示系の処理によるタイムラグといったわずらわしさから開放される。また、装置内にディスクが無いときの再生ボタンや録画ボタン等の誤操作が防止され、ユーザがディスクのデータが再生されないことに不安を感じたり、後で録画したはずのデータがディスクに記録されていないことを悔んだりすることはない。さらに、側面に設けられた開口から内部にディスクを挿入するスロットイン方式のディスク処理装置の場合は、装置内にディスクが有るときの別のディスクの誤挿入が防止され、ディスクおよび装置の損傷を回避することができる。加えて、ディスク処理装置に上記のような簡易な構成のディスク検出報知回路を設けて、該回路に常時駆動電力を供給するだけなので、既存の装置への適用が極めて簡単で、装置のコスト上昇を招くことはない。また、従来のようにディスクの有無を判定するプログラムやディスクの装着を示す表示データを制御系に組み込む必要がないので、メモリの余裕度を高く確保しつつマイクロコンピュータのジョブ量を少なくして、制御系の処理能力の向上を図ることができる。
【０００９】
また、本発明の実施形態では、側面に設けられた開口から内部に挿入された記録媒体としてのディスクを処理するディスクローダ内蔵パネル型テレビ装置において、ディスクローダ内のディスクの有無を検出する光電センサと、光電センサに接続されたトランジスタと、トランジスタに接続されたＬＥＤとから構成されるディスク検出報知回路と、ディスク検出報知回路に駆動電力を常時供給する電源部とを備え、ディスク検出報知回路では、光電センサがディスクの有無に応じてレベルの異なる信号を出力することにより、トランジスタがＯＮ状態またはＯＦＦ状態に切り替わり、ＬＥＤが発光しまたは消灯して、ディスクの有無を報知する。
【００１０】
このようにすると、ディスクローダまたはディスクローダ内蔵パネル型テレビ装置自体が未起動状態にある場合でも、ディスク検出報知回路によりディスクローダ内のディスクの有無が検出されて、ＬＥＤの発光または消灯により報知されるので、ユーザによる操作および制御系による処理を要さずに、ディスクの装着の有無を常時容易かつ迅速かつ明確に確認可能となる。この結果、ユーザは、従来のようなボタン等の操作および制御系や表示系の処理によるタイムラグといったわずらわしさから開放され、ディスクローダ内にディスクが無いときのボタンの誤操作や、ディスクが有るときの別のディスクの誤挿入を回避することができる。加えて、ディスクローダ内蔵パネル型テレビ装置に、上記のような簡易なディスク検出報知回路を設けて、該回路に常時駆動電力を供給するだけなので、既存の装置への適用が極めて簡単で、コスト上昇を招くことはなく、また従来のようにディスクの有無を判定するプログラムやディスクの装着を示す表示データを制御系に組み込む必要がないので、制御系の処理能力の向上を図ることができる。
【発明の効果】
【００１１】
本発明によれば、装置が未起動状態にあって、制御系等が動作していない場合でも、ディスク検出報知回路により装置内のディスクの有無が検出されて報知されるので、ユーザによるボタンやスイッチの操作およびマイクロコンピュータ等の制御系による処理を要さずに、ディスクの装着の有無を常時容易かつ迅速に確認可能となる。
【発明を実施するための最良の形態】
【００１２】
図１は、本発明の実施形態に係るディスク処理装置の一例であるディスクローダ内蔵パネル型テレビ装置のブロック図である。ディスクローダ内蔵パネル型テレビ装置（以下、単に「パネル型テレビ装置」という。）１の制御系であるマイクロコンピュータ（以下、単に「マイコン」という。）２は、ＣＰＵやＲＯＭおよびＲＡＭといったメモリ等から構成されている。このマイコン２には、テレビジョン信号と音声や画像のデータとを処理する信号処理部２ａや、ＯＳＤ（On Screen Display）による表示を行うＯＳＤ部２ｂや、パネル型テレビ装置１の各部を制御する制御部２ｃ等の回路が設けられている。
【００１３】
チューナ３は、アンテナＡで受信されたテレビジョン放送電波から所定のチャンネルのテレビジョン信号を抽出する。ディスクローダ４は、光ピックアップやモータやサーボ回路や信号処理回路やディスク搬送機構等から構成されていて、パネル型テレビ装置１の筐体の横側面に設けられた開口９（図２に図示）から挿入されたディスクＤを自動的に内部に取り込んで装着するスロットイン方式のローディング機能を有している。ディスクＤは、例えばＤＶＤ（Digital Versatile Disk）のような記録媒体としての光ディスクである。ディスクローダ４は、ディスクＤに記録された映像や音声のデータを読み取って再生したり、ディスクＤに映像や音声のデータを記録したりする。
【００１４】
ＬＣＤ（Liquid CrystalDisplay）５は、液晶セルやバックライトやドライバＩＣ等から構成されている。スピーカ６には、アンプ回路が含まれている。マイコン２の信号処理部２ａは、チューナ３またはディスクローダ４より入力されるテレビジョン信号からＬＣＤ５に映像を表示可能な映像信号と、スピーカ５から音声を出力可能な音声信号とを生成して、ＬＣＤ５およびスピーカ６にそれぞれ出力する。ＯＳＤ部２ｂは、マイコン２内のメモリに記憶された画像データをＬＣＤ５にオンスクリーン表示できるように処理する。ＬＣＤ５は、信号処理部２ａまたはＯＳＤ部２ｂから入力される映像信号に基づく映像を表示する。スピーカ６は、信号処理部２ａから入力される音声信号に基づく音声を出力する。
【００１５】
操作部７は、パネル型テレビ装置１の筐体やリモコンに設けられた各種のボタンやスイッチやキーやＬＥＤ（Light Emitting Diode）等から構成されている。電源部８は、パネル型テレビ装置１の各部に電力を供給する回路から構成されている。電源部８は、マイコン２と操作部７の一部と後述するディスク検出報知回路１０には、駆動電力を常時供給し、それ以外の各部３〜７には、パネル型テレビ装置１が起動しているとき、即ち操作部７に含まれる電源スイッチが操作されてＯＮ状態になっているときに駆動電力を供給する。なかでも、ディスクローダ４には、ディスクローダ４を起動させるとき、即ちディスクＤが挿入されたり、操作部７に含まれる再生ボタンや録画ボタンやディスク取り出しボタン等が操作されたりしたときに駆動電力を供給する。つまり、パネル型テレビ装置１自体またはディスクローダ４のみが未起動状態のときは、マイコン２が上記各部３〜７（操作部７については一部）またはディスクローダ４の動作制御を行っておらず、各部３〜７またはディスクローダ４は機能していない。
【００１６】
図２は、ディスク検出報知回路１０を示す図である。（ａ）にパネル型テレビ装置１の筐体の横側面に設けられた開口９から前述のディスクＤがディスクローダ４内に挿入された状態を示し、（ｂ）にディスクＤがディスクローダ４内に挿入されていない状態を示している。
【００１７】
ディスク検出報知回路１０は、光電センサ１１と、開閉素子であるトランジスタ１２と、発光素子であるＬＥＤ１３とから構成されている。光電センサ１１は、ディスクローダ４内に設けられていて、投光部であるＬＥＤ１１ａと、受光部であるフォトトランジスタ１１ｂとから構成されている。ＬＥＤ１１ａのアノードは、前述の電源部８より５Ｖの電圧が常時かけられている端子Ｔ１に接続されていて、カソードは、抵抗を介してグランドに接続（接地）されている。フォトトランジスタ１１ｂのコレクタは、端子Ｔ１に接続されていて、エミッタは、グランドに接続されている。光電センサ１１は、ディスクローダ４内のディスクＤの有無を検出する。
【００１８】
トランジスタ１２は、ディスクローダ４外に設けられていて、光電センサ１１に接続されている。詳しくは、トランジスタ１２のベースが、光電センサ１１のフォトトランジスタ１１ｂのエミッタからグランドに通じる線路に接続されていて、コレクタは、前述の電源部８より５Ｖの電圧が常時かけられている端子Ｔ２に抵抗を介して接続されていて、エミッタは、抵抗を介してグランドに接続されている。ＬＥＤ１３は、パネル型テレビ装置１の筐体から表出するように設けられていて、トランジスタ１２に接続されている。詳しくは、ＬＥＤ１３のアノードが、端子Ｔ２からトランジスタ１２のコレクタに通じる線路に抵抗を介して接続されていて、カソードは、グランドに接続されている。ＬＥＤ１３は、発光状態によってディスクローダ４内のディスクＤの装着の有無を報知する。図２中に示す太線の矢印は、ＬＥＤ１１ａ、１３が発した光を示し、細線の矢印は、ディスク検出報知回路１０の各線路における電流の流れを示している。
【００１９】
図２（ａ）に示すようにディスクローダ４内にディスクＤが有るときは、端子Ｔ１から流れる電流により光電センサ１１のＬＥＤ１１ａが発した光が、ディスクＤによって遮られて、フォトトランジスタ１１ｂに受光されなくなるので、フォトトランジスタ１１ｂのベース電流が流れず、フォトトランジスタ１１ｂがＯＦＦ状態になる。これにより、フォトトランジスタ１１ｂのエミッタからトランジスタ１２のベースに電流が殆ど流れなくなって、光電センサ１１からトランジスタ１２への出力信号のレベルが低くなるので、トランジスタ１２がＯＦＦ状態になる。そしてこれにより、端子Ｔ２からＬＥＤ１３にＬＥＤ１３が発光可能な大きさの電流が流れて、ＬＥＤ１３が発光し、ディスクローダ４内にディスクＤの有ることが報知される。
【００２０】
一方、図２（ｂ）に示すようにディスクローダ４内にディスクＤが無いときは、端子Ｔ１から流れる電流により光電センサ１１のＬＥＤ１１ａが発した光がフォトトランジスタ１１ｂに受光されるので、フォトトランジスタ１１ｂのベース電流が流れて、フォトトランジスタ１１ｂがＯＮ状態になる。これにより、フォトトランジスタ１１ｂのコレクタからエミッタに電流が増幅されて流れるとともに、該電流がトランジスタ１２のベースに流れて、光電センサ１１からトランジスタ１２への出力信号のレベルが高くなるので、トランジスタ１２がＯＮ状態になる。そしてこれにより、端子Ｔ２から流れる電流がトランジスタ１２のコレクタからエミッタを通ってグランドへ流れ、ＬＥＤ１３に殆ど流れなくなるので、ＬＥＤ１３が消灯し、ディスクローダ４内にディスクＤの無いことが報知される。
【００２１】
以上によると、ディスクローダ４またはパネル型テレビ装置１自体が未起動状態にある場合でも、電源部８から常時供給される電力により動作するディスク検出報知回路１０において、光電センサ１１がディスクローダ４内のディスクＤの有無に応じてレベルの異なる信号を出力することにより、トランジスタ１２の動作状態が切り替わり、ＬＥＤ１３の発光状態が変化して、ディスクＤの有無を報知することができる。つまり、ユーザによる操作部７の操作およびマイコン２による処理を要さずに、ＬＥＤ１３を目視することにより、ディスクＤの装着の有無を常時容易かつ迅速かつ明確に確認可能となる。
【００２２】
その結果、ユーザは、従来のようなディスクＤの有無を確認するためのボタン等の操作および制御系や表示系の処理によるタイムラグといったわずらわしさから開放される。また、ディスクローダ４内にディスクＤが無いときの再生ボタンや録画ボタン等の誤操作が防止され、ユーザがディスクＤのデータが再生されないことに不安を感じたり、後で録画したはずのデータがディスクＤに記録されていないことを悔んだりすることはない。さらに、ディスクローダ４内にディスクＤが有るときの別のディスクＤの誤挿入が防止され、ディスクＤおよびディスクローダ４の損傷を回避することができる。
【００２３】
加えて、パネル型テレビ装置１に上述のような簡易な構成のディスク検出報知回路１０を設けて、該回路１０に常時駆動電力を供給するだけなので、既存のパネル型テレビ装置１への適用が極めて簡単で、パネル型テレビ装置１のコスト上昇を招くことはない。また、従来のようにディスクＤの有無を判定するプログラムやディスクＤの装着を示す表示データをマイコン２に組み込む必要がないので、マイコン２内のメモリの余裕度を高く確保しつつマイコン２のジョブ量を少なくして、マイコン２の処理能力の向上を図ることができる。
【００２４】
図３は、他の実施形態に係るディスク検出報知回路１０’を示す図である。図中、前述した図２と同一箇所には同一符号を付している。本実施形態では、ディスクローダ４内に、導光穴１４ａが形成されたドグ１４が設けられている。ドグ１４は、光電センサ１１のＬＥＤ１１ａとフォトトランジスタ１１ｂの間で、一部がディスクローダ４内のディスクＤを収納する箇所（空間）に突出するように、図示しないばね等により該収納箇所側へ付勢されている。光電センサ１１は、ドグ１４を介してディスクローダ４内にディスクが有るか無いかを検出する。トランジスタ１２のベースは、端子Ｔ１から光電センサ１１のフォトトランジスタ１１ｂのコレクタに通じる線路に接続されている。これ以外の各部の接続状態は、図２で説明したのと同様である。
【００２５】
図３（ａ）に示すようにディスクローダ４内にディスクＤが有るときは、ドグ１４がディスクＤに押されて移動し、光電センサ１１のＬＥＤ１１ａが発した光がドグ１４の導光穴１４ａを通ってフォトトランジスタ１１ｂに受光されるので、フォトトランジスタ１１ｂのベース電流が流れて、フォトトランジスタ１１ｂがＯＮ状態になる。これにより、端子Ｔ１からの電流がフォトトランジスタ１１ｂのコレクタからエミッタを通ってグランドへ流れ、トランジスタ１２のベースに電流が殆ど流れなくなって、光電センサ１１からトランジスタ１２への出力信号のレベルが低くなるので、トランジスタ１２がＯＦＦ状態になる。そしてこれにより、端子Ｔ２からＬＥＤ１３にＬＥＤ１３が発光可能な大きさの電流が流れて、ＬＥＤ１３が発光し、ディスクローダ４内にディスクＤの有ることが報知される。
【００２６】
一方、図３（ｂ）に示すようにディスクローダ４内にディスクＤが無いときは、ドグ１４が前述のばねの弾性力によりディスクＤの収納箇所側へ突出し、光電センサ１１のＬＥＤ１１ａが発した光がドグ１４によって遮られて、フォトトランジスタ１１ｂに受光されなくなるので、フォトトランジスタ１１ｂのベース電流が流れず、フォトトランジスタ１１ｂがＯＦＦ状態になる。これにより、端子Ｔ１からの電流がフォトトランジスタ１１ｂのコレクタからエミッタへ殆ど流れずに、トランジスタ１２のベースに流れて、光電センサ１１からトランジスタ１２への出力信号のレベルが高くなるので、トランジスタ１２がＯＮ状態になる。そしてこれにより、端子Ｔ２から流れる電流がトランジスタ１２のコレクタからエミッタを通ってグランドへ流れ、ＬＥＤ１３に殆ど流れなくなるので、ＬＥＤ１３が消灯し、ディスクローダ４内にディスクＤの無いことが報知される。
【００２７】
以上によると、ディスクローダ４またはパネル型テレビ装置１自体が未起動状態にある場合でも、電源部８から常時供給される電力により動作するディスク検出報知回路１０’によってディスクローダ４内のディスクＤの有無が検出されて、ＬＥＤ１３の発光または消灯により報知されるので、ユーザによる操作部７の操作およびマイコン２による処理を要さずに、ディスクＤの装着の有無を常時容易かつ迅速かつ明確に確認可能となる。
【００２８】
本発明は、以上述べた実施形態以外にも種々の形態を採用することができる。例えば、以上の実施形態では、ディスクローダ４内のディスクＤの有無を検出するセンサとして、ＬＥＤ１１ａとフォトトランジスタ１１ｂとから構成される光電センサ１１を用いた例を挙げているが、本発明はこれのみに限定するものではなく、これ以外に、例えばレーザダイオードとフォトダイオードから構成される光電センサや、アクチュエータを有するマイクロスイッチもしくはリミットスイッチのようなセンサを用いてもよい。つまり、センサとしては、ディスクＤの有無に応じてレベルの異なる信号を出力できるものであればよい。
【００２９】
また、以上の実施形態では、ＬＥＤ１３を発光状態と消灯状態とに変化させて、ディスクＤの装着の有無を報知する例を挙げているが、本発明はこれのみに限定するものではなく、これ以外に、例えばＬＥＤを点滅発光状態と連続発光状態とに変化させたり、点滅発光状態と消灯状態とに変化させたりして、ディスクＤの有無を報知するようにしてもよい。
【００３０】
また、以上の実施形態では、開閉素子としてトランジスタ１２を用い、発光素子としてＬＥＤ１３を用いた例を挙げているが、本発明はこれのみに限定するものではなく、これ以外に、例えば開閉素子としてリレー等を用い、発光素子としてランプやレーザダイオード等を用いてもよい。
【００３１】
さらに、以上の実施形態では、スロットイン方式のディスクローダ４とＬＣＤ５が組み込まれたディスクローダ内蔵パネル型テレビ装置１に、本発明を適用した場合を例に挙げているが、本発明はこれ以外にも、例えばトレイ式のディスクローダ、ＰＤＰ（Plasma Display Panel）、またはＣＲＴ（Cathode Ray Tube）等が組み込まれたディスクプレーヤやディスクレコーダやテレビ等のようなディスクを処理する装置に適用することが可能である。
【図面の簡単な説明】
【００３２】
【図１】ディスクローダ内蔵パネル型テレビ装置のブロック図である。
【図２】ディスク検出報知回路を示す図である。
【図３】他の実施形態を示す図である。
【符号の説明】
【００３３】
１  ディスクローダ内蔵パネル型テレビ装置
４  ディスクローダ
８  電源部
９  開口
１０、１０’  ディスク検出報知回路
１１  光電センサ
１１ａ  ＬＥＤ
１１ｂ  フォトトランジスタ
１２  トランジスタ
１３  ＬＥＤ
Ｄ  ディスク
【図１】
2006338725.tif 000003
【図２】
2006338725.tif 000004
【図３】
2006338725.tif 000005